(57)【要約】  【課題】  遊戯者の不正行為を抑制することができる遊技機監視システムを提供すること。  【解決手段】  遊技機に対する遊技者の操作状況を監視する遊技機監視システム１であって、遊技機を操作する遊技者を撮像する撮像素子２と、撮像素子２により得られた電気信号から映像信号を生成する画像処理部３と、映像信号のうちの輝度信号を検出し、輝度信号のレベルが予め設定された輝度の閾値を下回ったか否かを判定する輝度信号判定部４と、輝度信号のレベルが閾値を下回った場合の輝度信号判定部４からの判定信号に応じて報知する報知部５とを備えた遊技機監視システム１である。不正行為を行なうつもりである遊技者が撮像素子２を覆い隠した場合には、報知部５が遊技者に対して報知することによって、遊技者は不正行為を思いとどまるので、不正行為を抑制することができる。【選択図】  図１
2011218150.tif 000002
【特許請求の範囲】
【請求項１】
遊技機に対する遊技者の操作状況を監視する遊技機監視システムであって、
前記遊技機を操作する遊技者を撮像する撮像素子と、
該撮像素子により得られた電気信号から映像信号を生成する画像処理部と、
前記映像信号のうちの輝度信号を検出し、該輝度信号のレベルが予め設定された輝度の閾値を下回ったか否かを判定する輝度信号判定部と、
前記輝度信号のレベルが前記閾値を下回った場合の前記輝度信号判定部からの判定信号に応じて報知する報知部と
を備えたことを特徴とする遊技機監視システム。
【請求項２】
遊技機に対する遊技者の操作状況を監視する遊技機監視システムであって、
前記遊技機を操作する遊技者を撮像する撮像素子と、
該撮像素子により得られた電気信号から映像信号を生成する画像処理部と、
該画像処理部によって検出された輝度信号のレベルが予め設定された輝度の閾値を下回ったか否かを判定する輝度信号判定部と、
前記輝度信号のレベルが前記閾値を下回った場合の前記輝度信号判定部からの判定信号に応じて報知する報知部と
を備えたことを特徴とする遊技機監視システム。
【発明の詳細な説明】
【技術分野】
【０００１】
本発明は、遊技機を監視するシステムに関するものであり、特に、パチンコ機やパチスロ機等の遊技機に対して行なわれる不正行為を監視するのに好適な遊技機監視システムに関する。
【背景技術】
【０００２】
従来から、例えば、パチンコ機やパチスロ機等の遊技機に対して、不正行為により遊技機の特賞入賞率を高める等して不当に出玉数または出コイン数を稼ぐというような不正行為を行なう遊戯者が増加している。
【０００３】
不正行為を行なう遊戯者の手口としては、例えば、金枠を曲げてガラスを押さえることにより入賞しやすくしたり、ピアノ線またはセルロイド加工板等によって遊技機の裏の機械を直接操作して入賞しやすくしたり、基板またはそれに実装されたロムごとの取替えをして特賞入賞率を高めたり、電波を飛ばして特賞（大当たり）を引き当てたりといった、様々なものがある。
【０００４】
特に、パチンコ機では台の上または下皿等から、パチスロ機ではコイン払出し口等から、異形のセルロイド，ピアノ線または針金といった棒等を差し込むことによって、玉またはコインの払出し機能を誤作動させる手口が最も多く行なわれている。
【０００５】
従って、以上で説明した不正行為を監視するため、遊技機が複数設置されるパチンコホールにおいては、遊技機監視システムを設置する等の対策がなされている。
【０００６】
このような遊技機監視システムとしては、例えば撮影装置と、データ制御装置と、ホール監視装置とを備えた遊技機監視システムであって、撮影装置は、遊技機と一対一に設けられ、かつ遊技機およびその遊技者の少なくとも一部を含む所定範囲の画像を撮影可能であり、データ制御装置は、撮影装置によって撮影された画像データである撮影画像データを取得する第１の撮影画像データ取得手段と、第１の撮影画像データ取得手段によって取得した撮影画像データを記憶する撮影画像データ記憶手段と、遊技機から遊技機に係るデータである遊技機データを取得する遊技機データ取得手段と、遊技機データ取得手段によって取得した遊技機データに基づき特定の条件が成立したか否かを判定する特定条件成立判定手段と、特定条件成立判定手段によって特定条件が成立したと判定されたときに、撮影画像データ記憶手段に記憶された撮影画像データのうち、特定条件成立時より過去に記憶された撮影画像データを含む所定時間範囲の撮影画像データをホール監視装置に送信する撮影画像データ送信手段とを備え、ホール監視装置は、データ制御装置から撮影画像データを取得する第２の撮影画像データ取得手段と、第２の撮影画像データ取得手段によって取得した撮影画像データの画像を表示する撮影画像表示手段とを備えるシステムがある（例えば、特許文献１を参照。）。
【０００７】
特許文献１に開示された遊技機監視システムによれば、遊技機における通常とは異なる異常状態の発生を特定条件とすることで、異常状態発生時よりも過去に記憶された撮影画像データを含む撮影画像データの画像を表示して見ることが可能となり、不正行為が原因で異常状態が発生した場合は、不正行為が行なわれた時点の画像を見ることが可能となり、これを証拠として現場を押さえたり、不正行為の再発を防止したりすること等が可能となるというものである。
【先行技術文献】
【特許文献】
【０００８】
【特許文献１】特開2005−110788号公報
【発明の概要】
【発明が解決しようとする課題】
【０００９】
上述した特定条件成立判定手段は、遊技機データ取得手段によって取得した遊技機データに基づき遊技機データに対する基準値を算出し、基準値と予め設定された比較値とに基づき、特定条件が成立したか否かを判定していることが特許文献１に開示されている。例えば、特定条件成立判定手段は、各遊技機から取得した遊技機データに基づき、各遊技機の出力特性を示す基準値を算出し、これと予め記憶された比較値とを比較して、大当たり状態時の出球数あるいは確率変動状態時の出球数等の各遊技機の出力特性を示す数値が正常か否かを判断している。
【００１０】
しかしながら、特許文献１に開示された遊技機監視システムにおいては、遊戯者による不正行為の結果、遊技機が大当たり状態となって始めて記憶された撮影画像データがホール監視装置に送信され、撮影画像表示手段によって、その不正行為を画像で確認するという作業が行なわれていた。従って、不正行為を行なった後、すぐにその場を立ち去る遊戯者を捕まえることが困難であった。また、遊戯者の不正行為を抑制することが困難であるという問題点があった。
【００１１】
本発明は上記のような従来の技術における課題に鑑みてなされたものであり、その目的は、遊戯者の不正行為を効果的に抑制することができる遊技機監視システムを提供することにある。
【課題を解決するための手段】
【００１２】
本発明の遊技機監視システムは、遊技機に対する遊技者の操作状況を監視する遊技機監視システムであって、前記遊技機を操作する遊技者を撮像する撮像素子と、該撮像素子により得られた電気信号から映像信号を生成する画像処理部と、前記映像信号のうちの輝度信号を検出し、該輝度信号のレベルが予め設定された輝度の閾値を下回ったか否かを判定する輝度信号判定部と、前記輝度信号のレベルが前記閾値を下回った場合の前記輝度信号判定部からの判定信号に応じて報知する報知部とを備えたことを特徴とするものである。これを本発明の第１の遊技機監視システムとする。
【００１３】
本発明の遊技機監視システムは、遊技機に対する遊技者の操作状況を監視する遊技機監視システムであって、前記遊技機を操作する遊技者を撮像する撮像素子と、該撮像素子により得られた電気信号から映像信号を生成する画像処理部と、該画像処理部によって検出された輝度信号のレベルが予め設定された輝度の閾値を下回ったか否かを判定する輝度信号判定部と、前記輝度信号のレベルが前記閾値を下回った場合の前記輝度信号判定部からの判定信号に応じて報知する報知部とを備えたことを特徴とするものである。これを本発明の第２の遊技機監視システムとする。
【発明の効果】
【００１４】
本発明の第１の遊技機監視システムによれば、遊技機に対する遊技者の操作状況を監視する遊技機監視システムであって、遊技機を操作する遊技者を撮像する撮像素子と、撮像素子により得られた電気信号から映像信号を生成する画像処理部と、映像信号のうちの輝度信号を検出し、輝度信号のレベルが予め設定された輝度の閾値を下回ったか否かを判定する輝度信号判定部と、輝度信号のレベルが前記閾値を下回った場合の輝度信号判定部からの判定信号に応じて報知する報知部とを備えたことから、不正行為を行なおうとしている遊技者が撮像素子の存在に気付いて、撮像素子を覆い隠して自分の不正行為が撮像されないようにしようとした場合には、輝度信号判定部が映像信号のうちの検出した輝度信号
のレベルが予め設定された輝度の閾値を下回ったことを判定し、この判定に基づく判定信号が送られた報知部が遊技者に対して報知することによって、遊技者は不正行為を思いとどまりやすくなるので、不正行為を効果的に抑制することができる。
【００１５】
本発明の第２の遊技機監視システムによれば、遊技機に対する遊技者の操作状況を監視する遊技機監視システムであって、遊技機を操作する遊技者を撮像する撮像素子と、撮像素子により得られた電気信号から映像信号を生成する画像処理部と、画像処理部によって検出された輝度信号のレベルが予め設定された輝度の閾値を下回ったか否かを判定する輝度信号判定部と、輝度信号のレベルが閾値を下回った場合の輝度信号判定部からの判定信号に応じて報知する報知部とを備えたことから、不正行為を行なおうとしている遊技者が撮像素子の存在に気付いて撮像素子を覆い隠して、自分の不正行為が撮像されないようにしようとした場合には、輝度信号判定部が画像処理部によって検出された輝度信号のレベルが予め設定された輝度の閾値を下回ったことを判定し、この判定に基づく判定信号が送られた報知部が遊技者に対して報知することによって、遊技者は不正行為を思いとどまりやすくなるので、不正行為を効果的に抑制することができる。
【図面の簡単な説明】
【００１６】
【図１】本発明の遊技機監視システムの実施の形態の一例を示すブロック図である。
【図２】本発明の遊技機監視システムの輝度信号判定部の実施の形態の一例を示すブロック図である。
【図３】本発明の遊技機監視システムの実施の形態の一例を示す外観斜視図である。
【図４】本発明の遊技機監視システムの実施の形態の他の例を示す外観斜視図である。
【図５】本発明の遊技機監視システムの実施の形態の他の例を示すブロック図である。
【図６】図５に示す遊技機監視システムの実施の形態の他の例を示すブロック図である。
【図７】本発明の遊技機監視システムが遊戯場内に設置された状態の一例を示す外観図である。
【図８】図７に示す遊戯場に一列に並べて設置された複数の遊技機、および遊技機の上方に取り付けられた図１に示す遊技機監視システムの外観図である。
【図９】本発明の遊技機監視システムの実施の形態の他の例を示すブロック図である。
【発明を実施するための形態】
【００１７】
以下に、遊技機監視システムの実施の形態の例について、図面を参照しつつ詳細に説明する。
【００１８】
図１は、本発明の遊技機監視システムの実施の形態の一例を示すブロック図である。図１に示す例の遊技機監視システムは、本発明の第１の遊技機監視システムである。
【００１９】
図１に示す遊技機監視システム１は、遊技機に対する遊技者の操作状況を監視する遊技機監視システム１であって、遊技機を操作する遊技者を撮像する撮像素子２と、撮像素子２により得られた電気信号から映像信号を生成する画像処理部３と、映像信号のうちの輝度信号を検出し、輝度信号のレベルが予め設定された輝度の閾値を下回ったか否かを判定する輝度信号判定部４と、輝度信号のレベルが前記閾値を下回った場合の輝度信号判定部４からの判定信号に応じて報知する報知部５とを備えている。
【００２０】
このような構成の遊技機監視システム１によれば、不正行為を行なおうとしている遊技者が撮像素子２の存在に気付いて、撮像素子２を覆い隠して自分の不正行為が撮像されな
いようにしようとした場合には、輝度信号判定部４が映像信号のうちの検出した輝度信号のレベルが予め設定された輝度の閾値を下回ったことを判定し、この判定に基づく判定信号が送られた報知部５が遊技者に対して報知することによって、遊技者は不正行為を思いとどまりやすくなるので、不正行為を効果的に抑制することができる。
【００２１】
撮像素子２は、遊技機を操作する遊技者を撮像する。この撮像素子２には、ＣＭＯＳ（Complementary Metal Oxide Semiconductor：金属酸化膜半導体）イメージセンサまたは
ＣＣＤ（Charge Coupled Device：電荷結合素子）イメージセンサ等が使用される。なお
、撮像素子２には、受光部に被写体光を集光させるレンズユニットが一体的に備えられていてもよい。
【００２２】
なお、一般的に、不正行為の証拠を撮像するためという観点から、撮像素子２は遊技者の手元のみを撮像するように取付け位置が設定されるが、遊技者の手元以外に遊戯者の顔等が撮像できるように設定されていてもよい。
【００２３】
画像処理部３は、撮像素子２により得られた電気信号から映像信号を生成する。画像処理部３は、例えば半導体ＩＣで構成される。
【００２４】
輝度信号判定部４は、映像信号のうちの輝度信号を検出して、輝度信号のレベルが予め設定された輝度の閾値を下回ったか否かを判定する。輝度信号判定部４は、例えば半導体ＩＣで構成される。
【００２５】
輝度信号判定部４においては、例えば閾値を輝度信号全体の最大出力レベルの15％程度に設定しておき、映像信号のうちの輝度信号のレベルがこの閾値を下回った場合には、報知部５に判定信号を送る。
【００２６】
なお、撮像素子２を人間の手によって覆い隠そうとした際には、映像信号のうちの輝度信号のレベルは輝度信号の最大出力レベルの15％程度となることから、閾値の設定はこの程度のレベルで妥当であるといえる。
【００２７】
また、輝度信号判定部４は、輝度信号のレベルが予め設定された輝度の閾値を下回った場合には、報知部５に判定信号を出力する。そして、報知部５は、この判定信号に応じて報知を行なう。
【００２８】
なお、報知部５の報知を停止させたい場合には、輝度信号判定部４から判定信号が出力されるのを停止させるために、外部から報知停止信号を入力すればよい。この報知停止信号が輝度信号判定部４に入力されることによって、輝度信号判定部４は判定信号の出力を停止する。その結果、報知部５には判定信号が入力されなくなるので、報知部５の報知が停止される。
【００２９】
なお、図２に示す例のように、輝度信号判定部４は、映像信号のうちの輝度信号を検出するための輝度信号検出部４ａと、輝度信号のレベルが予め設定された輝度の閾値を下回ったか否かを判定するための判定部４ｂとから構成されており、前述した報知停止信号は判定部４ｂに入力される。図２は、本発明の遊技機監視システムの輝度信号判定部４の実施の形態の一例を示すブロック図である。
【００３０】
報知部５は、輝度信号のレベルが閾値を下回った場合の輝度信号判定部４からの判定信号に応じて報知する。
【００３１】
ここで、図３を参照して、本発明の遊技機監視システム１における報知部５の構成の例
を示す。図３は、本発明の遊技機監視システム１の実施の形態の一例を示す外観斜視図である。
【００３２】
図３に示す例のように、光量情報を報知する報知部５としては、ＬＥＤ（Light Emitting Diode：発光ダイオード）等の発光素子が使用される。この報知部５は、輝度信号判定部４からの判定信号に応じて、遊技者が十分に認識できる明るさで例えば点灯する。この場合には、不正行為を行なおうとした遊戯者は、不正行為を行なおうとして撮像素子２を覆う動作をした際に、報知部５が光り出すため、警戒して不正行為を思いとどまる。従って、不正行為の抑止を図ることができる。
【００３３】
なお、報知部５から発せられる光は、発光素子の点灯であってもよいし、発光素子の点滅あるいは明滅であってもよい。
【００３４】
図３に示す例においては、直方体形状の筺体８における、一方の主面に設けられた開口の内部に撮像素子２が取り付けられている。また、発光素子を用いた報知部５は、筺体８の主面のうち開口の周囲に４つ取り付けられている。なお、画像処理部３および輝度信号判定部４を構成する半導体ＩＣは、この筺体８に内蔵されている。
【００３５】
図３に示す例の遊技機監視システム１は、遊技場の室内の内壁であって、例えば遊技機の10〜30ｃｍ上方に取り付けられる。この遊技機監視システム１の取付け位置は、遊技機自体の上部であってもよい。
【００３６】
また、図３に示す例においては、発光素子を用いた報知部５は４つであるが、１〜３つ、または５つ以上取り付けられていてもよい。
【００３７】
なお、図３においては図示していないが、例えば半球形状のケースが、筺体８の開口を覆うように、半球形状の開口の周囲でもって筺体８の一方の主面に取り付けられていてもよい。なお、その際には、ケースはスモークがかかっているものとして、外部からは撮像素子２に気付きにくいようにしておくことが好ましい。また、当然ながら、撮像素子２が撮像対象を撮像するのを遮らない程度に透明部分を残しておくことが好ましい。さらに、報知部５がケース内に入らないようにして、ケースを筺体８に取り付けることが好ましい。
【００３８】
また、発光素子は、内壁が鏡面になっており１つの開口を有している報知部５用筐体（図示せず）の内部に取り付けられていることが好ましい。この場合には、報知部５用筐体の開口が遊戯者の目の位置に向くように報知部５用筐体を設定しておくことで、遊戯者が撮像素子２を覆う動作をした際には、遊戯者の目にビーム状の光を発射することができるため、発光素子が普通に点灯する場合と比較して、遊戯者の目に対してよりまぶしく感じさせることができるので、遊戯者はすぐに自分の不正行為を反省し、不正行為を思いとどまることとなる。
【００３９】
次に、図４を用いて、本発明の遊技機監視システム１における報知部５の構成の他の例を示す。図４は、本発明の遊技機監視システム１の実施の形態の他の例を示す外観斜視図である。
【００４０】
図４に示す例においては、報知部５は音声情報を報知するものである。この例のように、音声情報を報知する報知部５としては、ブザー等の音を発する装置が使用される。この報知部５は、輝度信号判定部４からの判定信号に応じて、遊技者が十分に認識できる音を発する。この場合には、不正行為を行なおうとした遊戯者は、不正行為を行なおうとして撮像素子２を覆うような動作をした際に、報知部５から急に音が鳴り出すため、警戒して
不正行為を思いとどまる。従って、不正行為の抑止を図ることができる。
【００４１】
なお、報知部５から発せられる音声情報は、一般的なブザー音でもよいし、人の音声のようなものであってもよい。なお、報知部５から発せられる人の音声の内容は、例えば、「カメラを覆い隠さないで下さい。」あるいは「お手元が暗くなっていませんか。」等の注意を促すものとすればよい。
【００４２】
また、報知部５から発せられる音声情報は、例えば20ｋＨｚ程度の高周波音であってもよい。一般的に、人間の耳には、20ｋＨｚ近傍の高周波音は、聞きたくない嫌な音として聞こえる。例えば、黒板を手の爪で引っかく音がそのような音である。従って、遊技場のような騒がしい場所であっても、人間が聞きたくない嫌な音を遊戯者に集中して発していれば、十分に警告の代わりとなり、不正行為を抑制することができる。また、高周波音は、加齢とともに聞こえにくくなるという性質を有しているため、例えば、その遊技場で不正行為を行なう年齢層が若年層であると特定できている場合には、20ｋＨｚ近傍の高周波音を音声情報として用いることによって、不正行為を行なおうとしている若者に警告ができるのと同時に、周囲の高齢者には高周波音を聞こえさせないようにするということができる。なお、周囲にいる者が高齢者ではなく、若者である場合もあるので、高周波音が不正行為を行なおうとしている若者にのみ発せられるように、例えば筒状の筐体の中に高周波音発生装置を配置し、この筒状の筐体の開口を、不正行為を行なおうとしている若者にのみ向けておく等の工夫をすることが好ましい。
【００４３】
また、報知部５から発せられる音声情報は、パトカーのサイレンの音などであってもよい。一般的に、人間はパトカーのサイレンの音を聞くだけで自分が悪いことをしてしまったのではないか、という自責の念が沸くことがある。従って、そのような人間の性質を利用して、不正行為を行なおうとした遊戯者に対してパトカーのサイレンの音を聞かせることによって、その遊戯者の不正行為を行なおうとする気持ちを抑制する効果がある。
【００４４】
また、報知部５から発せられる音声情報をパトカーのサイレンの音とした場合には、併せて報知部５から発せられる光量情報としては、パトカーの赤色灯のような赤色の光を明滅させることが好ましい。この場合には、不正行為を行なおうとした遊戯者に対して、よりパトカーのことを想起させることができることから、さらに不正行為を行なおうとする気持ちを抑制する効果がある。
【００４５】
図４に示す例においては、直方体形状の筺体８における、一方の主面に設けられた開口の内部に撮像素子２が取り付けられている。また、音声情報を報知する報知部５は、筺体８に内蔵されている。なお、画像処理部３および輝度信号判定部４を構成する半導体ＩＣも、この筺体８に内蔵されている。
【００４６】
また、図４に示す例においては、音声情報を報知する報知部５は１つであるが、複数の報知部５が内蔵されていてもよい。
【００４７】
報知部５は、以上で説明した光量情報、音声情報以外に、例えば、画像による情報、又は触覚による情報等によって報知してもよい。
【００４８】
画像による情報としては、例えば、遊技機10に設けられた液晶画面に文字情報を表示する手段が挙げられる。このような文字情報の内容としては、例えば、「カメラを覆い隠さないで下さい。」あるいは「お手元が暗くなっていませんか。」等の注意を促す内容のものがよい。
【００４９】
触覚による情報としては、例えば、遊戯者の使用している座席や、遊技機10の操作部等
に振動を与える手段が挙げられる。また、振動以外に、静電気等の微弱な電流によるショックを遊戯者に与えてもよい。
【００５０】
なお、図１に示す例の遊技機監視システムにおける電源部としては、報知部５に電源を供給する第１電源部６と、撮像素子２，画像処理回路３および輝度信号判定部４に電源を供給する第２電源部７とが存在する。
【００５１】
また、図５を用いて、本発明の遊技機監視システム１の実施の形態の他の例を以下に説明する。図５は、本発明の遊技機監視システム１の実施の形態の他の例を示すブロック図である。なお、図５において、図１と同様の部位には同じ符号を付してある。図５に示す例の遊技機監視システム21は、本発明の第２の遊技機監視システムである。
【００５２】
図５に示す遊技機監視システム21は、遊技機に対する遊技者の操作状況を監視する遊技機監視システム21であって、遊技機を操作する遊技者を撮像する撮像素子２と、撮像素子２により得られた電気信号から映像信号を生成する画像処理部３と、画像処理部３によって検出された輝度信号のレベルが予め設定された輝度の閾値を下回ったか否かを判定する輝度信号判定部４と、輝度信号のレベルが閾値を下回った場合の輝度信号判定部４からの判定信号に応じて報知する報知部５とを備えている。
【００５３】
このような構成の遊技機監視システム21によれば、不正行為を行なおうとしている遊技者が撮像素子２の存在に気付いて、撮像素子２を覆い隠して自分の不正行為が撮像されないようにしようとした場合には、輝度信号判定部４が画像処理部３によって検出された輝度信号のレベルが予め設定された輝度の閾値を下回ったことを判定し、この判定に基づく判定信号が送られた報知部５が遊技者に対して報知することによって、遊技者は不正行為を思いとどまりやすくなり、不正行為を抑制することができる。
【００５４】
撮像素子２および報知部５は、第１の遊技機監視システム１に用いられたものと同様のものを用いればよい。
【００５５】
画像処理部３は、撮像素子２により得られた電気信号から映像信号を生成する。なお、第２の遊技機監視システム21における画像処理部３は、映像信号のうちの輝度信号のレベルも検出し、これを輝度信号判定部４に出力する。画像処理部３は、半導体ＩＣで構成される。
【００５６】
輝度信号判定部４は、画像処理部３によって検出された輝度信号のレベルが予め設定された輝度の閾値を下回ったか否かを判定する。なお、第２の遊技機監視システム21における輝度信号判定部４は、映像信号のうちの輝度信号のレベルの検出は行なわず、画像処理部３によって検出された輝度信号のレベルと閾値との判定のみを行なう。輝度信号判定部４は、半導体ＩＣで構成される。
【００５７】
また、図６を用いて、図５に示す遊技機監視システム21の実施の形態の他の例を以下に説明する。図６は、図５に示す遊技機監視システム21の実施の形態の他の例を示すブロック図である。なお、図６において、図５と同様の部位には同じ符号を付してある。
【００５８】
図６に示す遊技機監視システム21においては、画像処理部３および輝度信号判定部４の両者の機能を兼ねた、半導体ＩＣからなるＤＳＰ（Digital Signal Processor：デジタル信号処理装置）９が使用されている。
【００５９】
図１に示す例の第１の遊技機監視システム１においては、画像処理部３は、入力されたアナログ信号としての電気信号を、内部でデジタル信号に変換して各種の処理を行なった
後に、アナログ信号としての映像信号に変換して、輝度信号判定部４に出力していた。
【００６０】
これに対して、図６に示す例の遊技機監視システム21のように画像処理部３および輝度信号判定部４を兼ねたＤＳＰ９を用いた場合には、画像処理部３は、入力されたアナログ信号としての電気信号を内部でデジタル信号に変換し、アナログ信号としての映像信号に変換して、映像信号出力として遊技機監視システム21の外部に出力するが、輝度信号判定部４に対してはデジタル信号のままである輝度信号のレベルを出力する。なお、この輝度信号のレベルは、画像処理部３の内部において検出される。
【００６１】
なお、本発明は上述した実施の形態の例に限定されるものではなく、本発明の要旨を逸脱しない範囲において種々の変更または改良等が可能である。
【００６２】
例えば、図３および図４において説明した構成の遊技機監視システム１，21は、撮像素子２，画像処理部３，輝度信号判定部４および報知部５が一体型のものを示したが、例えば、撮像素子２が撮像すべき遊技機の上方に取り付けられているとともに、画像処理部３，輝度信号判定部４および報知部５が撮像素子２とは別体で構成されていてもよい。この場合には、撮像素子２は小型なので、遊技機の上方に取り付けられたとしても、遊技機を操作する遊戯者に気付かれにくくなるので好ましい。
【００６３】
なお、このような構成の場合には、撮像素子２は、例えば遊技場の室内の内壁であって、遊技機の10〜30ｃｍ上方に取り付けられる。また、撮像素子２の取付け位置は、遊技機自体の上部に取り付けられていてもよい。また、撮像素子２を、遊技者の手元のみを撮像するように取り付ける場合には、撮像素子２の取付け位置は、遊技機自体の操作部分の近傍に取り付けられていてもよい。
【００６４】
また、撮像素子２とは別体とした報知部５は、遊戯者の手元、または遊戯者が撮像素子２を覆い隠そうと立ち上がった際の目の高さ程度の位置に取り付けられていることが好ましい。この場合には、遊戯者が覆い隠そうとしている撮像素子２の付近に報知部５が存在していることから、遊戯者が作動している報知部５に気付きやすくなるため、不正行為を防止する観点から好ましい。
【００６５】
また、報知部５は、遊技機の内部に予め組み込まれているものを利用してもよい。例えば、通常の遊技機には、そもそも光量情報または音声情報を発するための装置が内蔵されている。よって、これらを本発明の輝度信号判定部４と接続することによって、新たに報知部５を設けることなく、不正行為を行なおうとしている遊戯者に対して、有効な報知を行ない、不正行為の防止を図ることができる。なお、この場合には、例えば、遊技機の表示部全体から光量情報が発せられるため、非常に目立つ。従って、周囲の注目を集めた遊戯者は羞恥を感じることとなり、不正行為を行なう気持ちが抑制されるので好ましい。
【００６６】
前述した、遊技機に組み込まれた光量情報または音声情報を発するための装置は、遊技場の監視室等に設置されたホールコンピュータで制御されている。このホールコンピュータは輝度信号判定部４と接続されており、輝度信号判定部４からの判定信号が入力されることによって、撮像素子２を覆っている遊戯者に対して遊技機の内部に組み込まれており、遊技機監視システム1とは別体として設けられた報知部５から光量情報または音声情報
を発することができる。
【００６７】
また、撮像素子２とは別体とした報知部５は、遊技機の呼び出しランプを利用してもよい。なお、遊技機の呼び出しランプにスピーカー等を内蔵しておくことによって、不正行為を行なおうとした遊戯者に対して音声情報を報知する報知部５として呼び出しランプを利用することができる。従って、新たに報知部５を設ける必要がなくなるので、設置費用
を低減できることとなるので好ましい。
【００６８】
また、撮像素子２とは別体とした報知部５は、遊戯機の近傍に設けられていなくてもよい。例えば、遊技場の天井の照明が報知部５であって、不正行為を行なおうとした遊戯者の頭上の照明のみが点灯し、不正行為を行なおうとした遊戯者のみをライトアップするような構成であってもよい。この構成においては、本発明の輝度信号判定部４を遊技場の照明と接続されているものとして、特定の遊技者の上方の照明以外は消えるようにしておけば実現できる。
【００６９】
また、遊技場の内壁に設置された非常ベルが報知部５であって、遊戯者によって撮像素子２が覆われた際には、大音量でベル音を響かせてもよい。また、その際には、前述したような、不正行為を行なおうとした遊戯者のみをライトアップするように天井の証明を設定しておけば、非常ベルが鳴って周囲を見渡した他の遊戯者の視線がライトアップされている遊戯者に集まるので、羞恥を感じた遊戯者は不正行為を思いとどまるようになるので好ましい。
【００７０】
また、図９に示す例のように、遊技機監視システム１および報知部５は、遊技機10毎に設けられていることが好ましい。この場合には、遊戯者各人に対しての監視および警告が可能となる。
【００７１】
また、図９に示す例のように、遊技機監視システム１が遊技機10毎に設けられている場合には、各島の複数の遊技機監視システム１は、その島ごとに設けられた島コンピュータ18にそれぞれ接続されており、各島コンピュータ18は、その島における複数の遊技機監視システム１からの信号情報をまとめてホールコンピュータ17に出力することが好ましい。一般的に、ホールコンピュータ17の存在する管理室14から遊技機10までの距離は離れているが、このような構成とすることで、管理室14から遊技機10に引かれる長い配線の数を減少させることができ、省スペース化を図ることができる。
【００７２】
図９に示す例において、各遊技機監視システム1から出力された映像信号は、その島の
島コンピュータ18内の映像信号スイッチング回路に入力される。この回路において、複数の遊技機監視システム１からの映像信号のうち選択した任意の映像信号をホールコンピュータ17に出力する。出力される映像信号の例としては、各遊技機監視システム1から出力
された映像信号を順次切り替えるもの、又は、４分割画像、９分割画像又は16分割画像等としてまとめて出力されるものがある。そして、ホールコンピュータ17に入力された映像信号は、管理室14のモニタ15等に出力される。管理室14の管理者は、このモニタ15で各遊技機10を監視することができる。
【００７３】
図９に示す例において、各遊技機監視システム1から判定信号が出力された場合には、
その島の島コンピュータ18内の報知指示回路に入力される。この報知指示回路は、その判定信号を出力した遊技機監視システム1に対応する報知部５Ａに、報知指示信号を出力す
る。この信号が入力された報知部５Ａは、遊戯者に対して報知を行う。
【００７４】
また、以上では、報知部５は、遊戯者に対しての警告の意味での報知を行うことが主に説明されたが、遊戯者以外の店員等に対しての報知であってもよい。遊戯者による不正行為が生じた場合に、遊技場の店員に報知して知らせることによって、不正行為者を迅速に拘束することができるからである。このような構成としては、例えば、図９に示す例のものが挙げられる。
【００７５】
図９に示す例において、島コンピュータ18内の報知指示回路は、その島に接続されている遊技機監視システム1から判定信号が出力された場合には、別途、報知指示信号をホー
ルコンピュータ17に出力する。そして、ホールコンピュータ17は、この報知指示信号を、管理室14内の報知部５Ｃに出力する。管理室14内の報知部５Ｃが報知することによって、管理者は、現在いずれかの遊技機10で不正行為が行われていることを迅速に把握できる。また、ホールコンピュータ17は、どの遊技機監視システム1から判定信号が出力されたか
、という情報も併せて報知することが好ましい。その報知の仕方としては、モニタに位置を表示するか、又は、音声を用いても良い。
【００７６】
また、図９に示す例のように、ホールコンピュータ17内の報知指示回路は、島ごとに別途設けられた報知部５Ｂに報知させるようにしてもよい。このようにすれば、遊技場内を巡回する店員が、どの島で不正行為が起きているかを即座に把握することができる。また、上述したように、遊技機10に対応する報知部５Ａでも報知しているので、店員は、不正行為が起きた島を特定し、その後、不正行為が起きた遊技機10も迅速に特定できるようになる。このような構成とするためには、いずれかの島コンピュータ18から判定信号が出力された場合に、ホールコンピュータ17内の報知指示回路から、その島に対応する報知部５Ｂに報知指示信号を出力すればよい。
【実施例】
【００７７】
本発明の遊技機監視システムの実施例を以下に説明する。なお、本実施例においては、図１および図３に示した遊技機監視システムを用いて、図７および図８に示す例のように遊技場に設置した。図７は、本発明の遊技機監視システム１が遊戯場内に設置された状態の一例を示す外観図である。図８は、図７に示す遊戯場16に一列に並べて設置された複数の遊技機10、および遊技機10の上方に取り付けられた図１に示す遊技機監視システム１の外観図である。
【００７８】
まず、40台の遊戯機10に対して40台の遊技機監視システム１を設置した。つまり、遊技機監視システム１台で１台の遊戯機10を撮像するものとした。
【００７９】
なお、遊技機監視システム１は、遊技場16の室内の内壁であって、遊技機10の10ｃｍ上方に設置し、ＬＡＮケーブルによって天井近傍に設置したスイッチングハブ11に接続した。また、スイッチングハブ11は子機側無線ＬＡＮルータ12にＬＡＮケーブルによって接続した。
【００８０】
また、親機側無線ＬＡＮルータ13を管理室14に設置して、子機側無線ＬＡＮルータ12と通信できるようにした。
【００８１】
また、データサーバ15は、管理室14に設置し、親機側無線ＬＡＮルータ13とＬＡＮケーブルによって接続した。
【００８２】
なお、データサーバ15には、遊技機監視システム１の撮像素子２を制御して画像を表示させるカメラ端末制御表示ソフトウエアを搭載したものを使用した。
【００８３】
なお、親機側無線ＬＡＮルータ13と子機側無線ＬＡＮルータ12との通信においては、無線ＬＡＮによってＷＰＡ２−ＰＳＫ方式にて暗号化通信を行なうこととした。
【００８４】
それぞれの遊技機監視システム１には、所定のネットワークアドレス（ＩＰアドレス）を付与することで、データサーバ15から任意に制御するものとした。
【００８５】
以上のようにして、遊技機監視システム１を設定した。
【００８６】
管理室14では、前述したデータサーバ15から、無線ＬＡＮでの通信を行ないながら各々
の撮像素子２の動作を独立して制御した。図示はしていないが、受像装置としての画像表示用の液晶モニターに撮像素子２で撮像した画像を表示した。また、２秒毎に順次、画像を表示させる遊技機監視システム１を切り替えた。
【００８７】
また、データサーバ15には、内部に画像保存用のＨＤＤ（Hard Disc Drive：ハードデ
ィスク駆動装置）を搭載して、画像をＪＰＥＧデータとして保存するようにした。データサーバ15では、監視員が受像装置に表示された画像を確認するとともに、何か異常があった場合には特定の遊技機監視システム１の撮像素子２のみに長時間監視させるよう待機させるものとした。
【００８８】
また、図３に示す例のように、遊技機監視システム１は、直方体形状の筺体８における、一方の主面に設けられた開口の内部に撮像素子２が取り付けられており、発光素子であるＬＥＤを用いた報知部５が４つ取り付けられているものとした。なお、画像処理部３および輝度信号判定部４を構成する半導体ＩＣは、この筺体８に内蔵されているものとした。
【００８９】
また、輝度信号判定部４においては、閾値を輝度信号全体の最大出力レベルの15％に設定し、映像信号のうちの輝度信号のレベルがこの閾値を下回った場合には、報知部５に判定信号を送るものとした。
【００９０】
なお、半球形状のケースが筺体８の開口を覆うように、半球形状の開口の周囲でもって筺体８の一方の主面に取り付けられているものとした。
【００９１】
また、撮像素子２は、レンズユニットと一体化されているものであり、遊戯者の手元の拡大画像が得られるように、レンズユニットとの間隔等を設定した。
【００９２】
次に、比較例として、輝度信号判定部４に代わって出力特性判定部を有する遊技機監視システムを作製した。ここで、出力特性判定部は、各遊技機から取得した遊技機データに基づき、各遊技機の出力特性を示す基準値を算出し、これと予め記憶された比較値とを比較し、大当たり状態時の出球数、確率変動状態時の出球数等の各遊技機の出力特性を示す数値が正常か否かを判断している。これ以外の構成は、実施例の遊技機監視システム１のものと同様とした。
【００９３】
そして、実施例および比較例の遊技機監視システムを使用して、開店時間（午前10時）から閉店時間（午後11時）まで、遊技場の監視を行なった。
【００９４】
その結果、遊技場16の営業中に、不正行為を行ないそうな挙動不審な遊戯者がいたが、その遊戯者が、実施例の遊技機監視システム１の撮像素子２を覆おうとした際に、発光素子である報知部５が光りだしたので、驚いた遊戯者は、席に付いて何事も無かったように遊戯を再開した。従って、遊戯者の不正行為を抑制することに成功した。
【００９５】
これに対して、比較例の遊技機監視システムにおいては、挙動不審な遊戯者が撮像素子を覆おって、その後不正行為によって不正な大当たり状態を誘発し、出球数を稼いだが、報知部が遊戯者に対して報知を始めたのが、結果として不正行為の後だったので、遊戯者の不正行為を抑制することはできなかった。
【００９６】
この結果から、本発明の遊技機監視システム１によれば、遊戯者が不正行為を行なおうとして撮像素子２を覆う動作をした段階で、報知部５によって遊戯者に対して報知を行なうことができるので、不正行為を抑制できることが分かった。
【符号の説明】
【００９７】
１：遊技機監視システム
２：撮像素子
３：画像処理部
４：輝度信号判定部
５：報知部
10：遊技機
【図１】
2011218150.tif 000003
【図２】
2011218150.tif 000004
【図３】
2011218150.tif 000005
【図４】
2011218150.tif 000006
【図５】
2011218150.tif 000007
【図６】
2011218150.tif 000008
【図７】
2011218150.tif 000009
【図８】
2011218150.tif 000010
【図９】
2011218150.tif 000011